(57)【特許請求の範囲】
【請求項１】
吸込口７と吹出口９と換気口１７を有する本体１と、この本体１の吹出口９に設けた加熱装置と、吸込口７より空気を吸込んで換気口１７に吐出する換気用シロッコファン３と、吸込口７より空気を吸込んで吹出口９に吐出する循環用シロッコファン４と、正逆転モータ２を備え
前記換気用シロッコファン３を、回転方向に弯曲した羽根１９を備えた羽根車１１と、主出口１５と補助出口１６を有するケーシング１２を備えたものとし、
前記循環用シロッコファン４を、回転方向に弯曲した羽根１９を備えた羽根車１１と、出口１８を有するケーシング１２を備え、その羽根車１１が羽根１９の弯曲方向に回転すると主出口１５から多量の空気を吐出し、前記羽根車１１が羽根１９の弯曲方向と反対方向に回転すると主出口１５からの吐出風量がゼロで、かつ補助出口１６から小量の空気を吐出するものとし、
前記循環用シロッコファン４を、回転方向に弯曲した羽根１９を備えた羽根車１１と、出口１８を有するケーシング１２を備え、その羽根車１１が羽根１９の弯曲方向に回転すると出口１８から多量の空気を吐出し、前記羽根車１１が羽根１９の弯曲方向と反対方向に回転すると出口１８からの吐出風量がゼロとなるものとし、
前記換気用シロッコファン３の羽根車１１を正逆転モータ２の出力軸１３の一端部１３ａに正転方向と逆転方向に一体となってそれぞれ回転するように連結し、前記循環用シロッコファン４の羽根車１１を正逆転モータ２の出力軸１３の他端部１３ｂに、その羽根１９の弯曲方向が前記換気用シロッコファン３の羽根１９の弯曲方向と反対で、羽根１９の弯曲方向には一体となって回転し、かつ羽根１９の弯曲方向と反対方向には回転しないように一方向性クラッチ３０を介して連結したことを特徴とする浴室換気乾燥機。
【発明の詳細な説明】
【０００１】
【発明の属する技術分野】
本発明は、浴室内を換気、乾燥したり、浴室内に涼風を送り込む浴室換気乾燥機に関する。
【０００２】
【従来の技術】
浴室換気乾燥機としては図１に示すように、本体１内に設けた正逆転モータ２で換気用シロッコファン３と循環用シロッコファン４を回転するものが知られている。
具体的には、本体１をシロッコファン収納室５と吹出室６に区画し、そのシロッコファン収納室５の下面に吸込口７を形成し、吹出室６の下面に加熱装置、例えばヒータ８を備えた吹出口９を形成する。なお、前記吹出室６は本体１にケーシング１０を取付けて形成してある。
【０００３】
前記換気用シロッコファン３、循環用シロッコファン４は羽根車１１とケーシング１２を備え、各羽根車１１が正逆転モータ２の回転軸１３の両端部に連結してあり、各ケーシング１２の入口１４がシロッコファン収納室５にそれぞれ開口している。
【０００４】
前記換気用シロッコファン３のケーシング１２は図２に示すように主出口１５と補助出口１６を有し、その主出口１５と補助出口１６は換気口１７に開口し、循環用シロッコファン４のケーシング１２の出口１８は前記吹出室６に開口している。
【０００５】
前記換気用シロッコファン３の羽根車１１の羽根１９及び循環用シロッコファン４の羽根車１１の羽根１９は図３に示すように回転方向にほぼ円弧状に弯曲し、かつその弯曲方向が相互に反対としてある。
【０００６】
このようであるから、正逆転モータ２を正転して出力軸１３で各羽根車１１を図２と図３で矢印ａ方向に回転すると、換気用シロッコファン３の羽根車１１は羽根１９の弯曲方向に回転して吐出風量が大となり、循環用シロッコファン４の羽根車１１は羽根１９の弯曲方向と反対方向に回転して吐出風量がゼロとなる。
【０００７】
また、正逆転モータ２を逆転して出力軸１３で各羽根車１１を図２と図３で矢印ｂ方向に回転すると、換気用シロッコファン３の羽根車１１は羽根１９の弯曲方向と反対方向に回転して吐出風量がゼロとなるが補助出口１６より小量の空気が吐出され、循環用シロッコファン４の羽根車１１は羽根１９の弯曲方向に回転して吐出風量が大となる。
【０００８】
このようであるから、正逆転モータ２を正転すれば換気用シロッコファン３によって浴室内の空気を吸込口７より吸込んで換気口１７に大量に吐出するから浴室内を換気できる。
【０００９】
また、正逆転モータ２を逆転すれば循環用シロッコファン４が浴室内の空気を吸込口７より吸込んで吹出口９に大量に吐出し、換気用シロッコファン３の補助出口１６から小量の空気が換気口１７に吐出されるので、ヒータ８を発熱すれば浴室内を乾燥でき、ヒータ８を発熱しなければ浴室内に涼風を送り込むことができる。
【００１０】
以上のようであるから、正逆転モータ２を正転・逆転すると共に、ヒータ８を発熱させたり、発熱させないことで浴室内を換気、乾燥、涼風送り込みできる。
【００１１】
【発明が解決しようとする課題】
かかる浴室換気乾燥機であると、換気動作時に循環用シロッコファン４の羽根車１１が羽根１９の弯曲方向と反対方向に回転するために吐出風量がゼロであるが、その羽根車１１は回転しているため羽根車１１とケーシング１２との間で空気の渦巻きが生じて大きな騒音が発生する。このために浴室使用者に不快感を与える。
【００１２】
そこで、本発明は前述の課題を解決できるようにした浴室換気乾燥機を提供することを目的とする。
【００１３】
【課題を解決するための手段及び作用】
本発明は、吸込口７と吹出口９と換気口１７を有する本体１と、この本体１の吹出口９に設けた加熱装置と、吸込口７より空気を吸込んで換気口１７に吐出する換気用シロッコファン３と、吸込口７より空気を吸込んで吹出口９に吐出する循環用シロッコファン４と、正逆転モータ２を備え
前記換気用シロッコファン３を、回転方向に弯曲した羽根１９を備えた羽根車１１と、主出口１５と補助出口１６を有するケーシング１２を備えたものとし、
前記循環用シロッコファン４を、回転方向に弯曲した羽根１９を備えた羽根車１１と、出口１８を有するケーシング１２を備え、その羽根車１１が羽根１９の弯曲方向に回転すると主出口１５から多量の空気を吐出し、前記羽根車１１が羽根１９の弯曲方向と反対方向に回転すると主出口１５からの吐出風量がゼロで、かつ補助出口１６から小量の空気を吐出するものとし、
前記循環用シロッコファン４を、回転方向に弯曲した羽根１９を備えた羽根車１１と、出口１８を有するケーシング１２を備え、その羽根車１１が羽根１９の弯曲方向に回転すると出口１８から多量の空気を吐出し、前記羽根車１１が羽根１９の弯曲方向と反対方向に回転すると出口１８からの吐出風量がゼロとなるものとし、
前記換気用シロッコファン３の羽根車１１を正逆転モータ２の出力軸１３の一端部１３ａに正転方向と逆転方向に一体となってそれぞれ回転するように連結し、前記循環用シロッコファン４の羽根車１１を正逆転モータ２の出力軸１３の他端部１３ｂに、その羽根１９の弯曲方向が前記換気用シロッコファン３の羽根１９の弯曲方向と反対で、羽根１９の弯曲方向には一体となって回転し、かつ羽根１９の弯曲方向と反対方向には回転しないように一方向性クラッチ３０を介して連結したことを特徴とする浴室換気乾燥機である。
【００１４】
本発明によれば、正逆転モータ２の出力軸１３を換気用シロッコファン３の羽根１９の弯曲方向と反対方向に回転すれば、循環用シロッコファン４の羽根車１１が羽根１９の弯曲方向に回転して出口１８から多量の空気を吐出するので、吸込口７より吸込んだ空気を吹出口８に大量に吐出する。
一方、換気用シロッコファンの羽根車１１が羽根１９の弯曲方向と反対方向に回転し、補助出口１６より小量の空気を換気口１７に吐出する。
これによって、浴室内の空気を大量に循環できるし、浴室内の空気を小量だけ室外に排出するので、加熱装置によって吹出す空気を加熱することで浴室内を乾燥できるし、加熱装置によって吹出す空気を加熱しなければ浴室内に涼風を送り込みできる。
【００１５】
また、正逆転モータ２の出力軸１３を換気用シロッコファン３の羽根１９の弯曲方向に回転すれば、主出口１５から多量の空気を吐出し、吸込口７より吸込んだ空気を換気口１７に大量に吐出する。
これによって、浴室内を換気できる。
この時、循環用シロッコファン４の羽根車１１は、その羽根１９の弯曲方向と反対方向に回転しようとするが、一方向性クラッチ３０によって回転しないから、その羽根車１１とケーシング１２との間で空気の渦巻きが生じることがないので大きな騒音が発生しない。
【００１６】
また、一方向性クラッチ３０を用いたので正逆転モータ２の出力軸１３の一方向の回転を循環用シロッコファン４の羽根車１１に確実に伝えることができるし、他方向の回転によって羽根車１１が回転しないようにできる。
【００１７】
【発明の実施の形態】
図４に示すように正逆転モータ２の出力軸１３の一端部１３ａを換気用シロッコファン３の羽根車１１に正逆転方向に一体となって回転するように連結し、その出力軸１３の他端部１３ｂを、循環用シロッコファン４の羽根車１１に一方向性クラッチ３０を介して出力軸１３が逆転方向（矢印ｂ）に回転する時には羽根車１１が一体となって回転するが、出力軸１３が正転方向（矢印ａ）に回転する時には羽根車１１が回転しないように連結する。
【００１８】
このようにすれば、正逆転モータ２の出力軸１３を正転して換気動作する時には循環用シロッコファン４の羽根車１１が羽根１９の弯曲方向と反対方向に回転しないので、その羽根車１１とケーシング１２との間に空気の渦巻きが生じないから大きな騒音が発生しない。
【００１９】
次に正逆転モータ２の出力軸１３と各羽根車１１の連結の具体構造を説明する。
図５に示すように、出力軸１３の一端部１３ａに溝付きのピン２０を取付けると共に、先端部にネジ部２１を形成する。換気用シロッコファン３の羽根車１１における端板２２にボス２３を形成する。このボス２３に前記ネジ部２１を挿通してナット（羽根スピンナー）２４を螺合して連結する。
【００２０】
循環用シロッコファン４の羽根車１１に支持金具２５を介して軸支え２６を取付け、この軸支え２６に羽根車軸２７を固定する。この羽根車軸２７と出力軸１３の他端部１３ｂを一方向性クラッチ３０を介して連結する。この一方向性クラッチ３０はコイルスプリング３１を備え、そのコイルスプリング３１を図６に示すように出力軸１３の他端部１３ｂと羽根車軸２７に嵌合して取付け、コイルスプリング３１の一端部３１ａを出力軸１３の他端部１３ｂに嵌合して固定してある。
【００２１】
そして、出力軸１３が正転方向（矢印ａ）に回転する時にはコイルスプリング３１が巻き戻し方向にねじられて羽根車軸２７に対してフリー回転となる。また出力軸１３が逆転方向（矢印ｂ）に回転する時にはコイルスプリング３１が締付け方向にねじられて羽根車軸２７の外周面に強く圧接して出力軸１３とともに羽根車軸２７が回転する。
【００２２】
図７は一方向性クラッチ３０の第２実施例を示し、出力軸１３の他端部１３ｂに切欠き部３２を形成し、羽根車軸２７を中空形状とする。羽根車軸２７内に出力軸１３の他端部１３ｂを挿入して羽根車軸２７の内周面２７ａと切欠部３２との間にほぼくさび形状の空間３３を形成し、その空間３３にボール３４を設ける。
【００２３】
出力軸１３が正転方向（矢印ａ）に回転するとボール３４が空間３３におけるボール３４の直径よりも大きな隙間部分に転動し、出力軸１３の回転が羽根車軸２７に伝わらないから羽根車１１が正転方向に回転しない。
【００２４】
また、出力軸１３が逆転方向（矢印ｂ）に回転するとボール３４が空間３３におけるボール３４の直径よりも小さな隙間部分に向けて転動して切欠部３２と羽根車軸２７の内周面２７ａとの間に喰い込み、羽根車軸２７が出力軸１３とともに回転する。
【００２５】
【発明の効果】
請求項１に係る発明によれば、正逆転モータ２の出力軸１３を換気用シロッコファン３の羽根１９の弯曲方向と反対方向に回転すれば、循環用シロッコファン４の羽根車１１が羽根１９の弯曲方向に回転して出口１８から多量の空気を吐出するので、吸込口７より吸込んだ空気を吹出口８に大量に吐出する。
一方、換気用シロッコファンの羽根車１１が羽根１９の弯曲方向と反対方向に回転し、補助出口１６より小量の空気を換気口１７に吐出する。
これによって、浴室内の空気を大量に循環できるし、浴室内の空気を小量だけ室外に排出するので、加熱装置によって吹出す空気を加熱することで浴室内を乾燥できるし、加熱装置によって吹出す空気を加熱しなければ浴室内に涼風を送り込みできる。
【００２６】
また、正逆転モータ２の出力軸１３を換気用シロッコファン３の羽根１９の弯曲方向に回転すれば、主出口１５から多量の空気を吐出し、吸込口７より吸込んだ空気を換気口１７に大量に吐出する。
これによって、浴室内を換気できる。
この時、循環用シロッコファン４の羽根車１１は、その羽根１９の弯曲方向と反対方向に回転しようとするが、一方向性クラッチ３０によって回転しないから、その羽根車１１とケーシング１２との間で空気の渦巻きが生じることがないので大きな騒音が発生しない。
【００２７】
また、一方向性クラッチ３０を用いたので正逆転モータ２の出力軸１３の一方向の回転を循環用シロッコファン４の羽根車１１に確実に伝えることができるし、他方向の回転によって羽根車１１が回転しないようにできる。
【図面の簡単な説明】
【図１】浴室換気乾燥機の一例を示す横断面図である。
【図２】換気用シロッコファンの断面図である。
【図３】換気用シロッコファンと循環用シロッコファンの動作説明図である。
【図４】本発明の実施例を示す浴室換気乾燥機の横断面図である。
【図５】正逆転モータの出力軸と各羽根車の連結部の分解斜視図である。
【図６】一方向性クラッチ部分の断面図である。
【図７】一方向性クラッチの第２実施例を示す断面図である。
【符号の説明】
１…本体、２…正逆転モータ、３…換気用シロッコファン、４…循環用シロッコファン、７…吸込口、８…ヒータ、９…吹出口、１１…羽根車、１２…ケーシング、１３…出力軸、１５…主出口、１６…補助出口、１７…換気口、１８…出口、１９…羽根、３０…一方向性クラッチ、３１…コイルスプリング、３２…切欠部、３４…ボール。
【図１】
0003733975.tif 000002
【図２】
0003733975.tif 000003
【図３】
0003733975.tif 000004
【図４】
0003733975.tif 000005
【図５】
0003733975.tif 000006
【図６】
0003733975.tif 000007
【図７】
0003733975.tif 000008